(57)【要約】  【課題】要介護者が日常生活に復帰するための訓練に好適で、構造を簡略化及び軽量化し、装置の大きさを設置環境に適合可能に構成したリハビリテーション装置を提供する。  【解決手段】上下方向の高さ調節が可能に生活用設備２０を備えた生活用設備部２と、同生活設備部２から張り出すスライドガイド部３と、前記スライドガイド部３と直交し、同スライドガイド部３に沿う方向に、同スライドガイド部３に対して相対的に移動可能な摺動手段５を具備した移動パネル部４とから成る。【選択図】図１
2006345987.tif 000002
【特許請求の範囲】
【請求項１】
上下方向の高さ調節が可能に生活用設備を備えた生活用設備部と、同生活設備部から張り出すスライドガイド部と、
前記スライドガイド部と直交し、同スライドガイド部に沿う方向に、同スライドガイド部に対して相対的に移動可能な摺動手段を具備した移動パネル部とから成ることを特徴とする、リハビリテーション装置。
【請求項２】
スライドガイド部は、３本のスライドガイドパイプから成り、その配置が側面方向に見て三角形の各頂点に位置する配置とされており、同スライドガイドパイプに移動パネル部の摺動手段が摺動可能に連結されていることを特徴とする、請求項１に記載したリハビリテーション装置。
【請求項３】
移動パネル部は、パイプ材で枠体を形成され、同枠体へ取り外し可能にパネル材が取り付けられていることを特徴とする、請求項１又は２に記載したリハビリテーション装置。
【請求項４】
移動パネル部のパネル材の生活用設備部に臨む側面に、その面に沿って上下、左右方向の移動及び斜め位置を設定可能な手摺りが設けられていることを特徴とする、請求項１〜３のいずれか一に記載したリハビリテーション装置。
【請求項５】
リハビリテーション装置の骨組みは、パイプ材と継手を組み合わせて形成されていることを特徴とする、請求項１〜４のいずれか一に記載したリハビリテーション装置。
【発明の詳細な説明】
【技術分野】
【０００１】
この発明は、要介護者が日常生活に復帰するための訓練に好適なリハビリテーション装置の技術分野に属し、更に云うと、構造を簡略化および軽量化し、装置本体の大きさを設置環境に適合可能に構成したリハビリテーション装置に関する。
【背景技術】
【０００２】
リハビリテーション施設においては、様々な障害を持った訓練者が機能回復や日常生活復帰のための訓練を行っている。従来、このような訓練は、浴槽やトイレ等の生活設備が設置されたリハビリテーション装置を用いて行われる。この装置においては、訓練者の障害の程度や身体的特徴に応じて、例えばリハビリテーション施設から自宅に戻った際に円滑に日常生活が送れるように、自宅の洗い場や便器の高さに合わせる高さ調整機能を有するものが使用されている。
【０００３】
訓練者の多くは上記リハビリテーション装置に敷設された生活用設備へ移動したり、使用したりする際に、仕切壁面や壁面に予め備えられた手摺りを把持することで自身の体重を支える。その際に、生活用設備と手摺りを設けた壁面との間を訓練者の自宅に適合したスペースに自在に移動させリハビリを行うことが好ましいとされている。
【０００４】
上記の点を顧みて、高さ調整機能を備えた生活用設備と、同生活用設備の背面位置に第１仕切壁、同生活用設備の左右位置には手摺りを有する第二仕切壁をそれぞれ設け、第二仕切壁が第１仕切壁に沿って移動可能に連結して生活用設備と第二仕切壁との間を自在に移動可能な構成としたリハビリテーション装置が、下記の特許文献１又は２に記載されて公知である。
【特許文献１】特開平１０−３１２１４８号公報
【特許文献２】特開２００３−２０８０８８号公報
【発明の開示】
【発明が解決しようとする課題】
【０００５】
しかし、上記特許文献１のリハビリテーション装置においては、仕切壁が大型で特に、介護者を支えるために重量が大きいものが使用されている。したがって、各部材や仕切壁は大型、大重量となって、持ち運びや移動が至難で、設置場所として広いスペースが必要になるし、コストも嵩む。その上、部材点数が多く、構成も複雑なので熟練した設備者でないと装置の組み立て作業や修繕作業は困難である。
【０００６】
また、特許文献１及び特許文献２のリハビリテーション装置は、生活用設備の左右位置に設けられる手摺りを有する第二仕切壁は、多数の訓練者が使用するため手摺り部分又は壁自体が損傷したり、壁面に汚れが生じる。しかし、手摺りは仕切壁と一体化されているため、その取り替えや修繕作業は非常に面倒となる。しかも、その都度に設備者を呼ばなければならない。のみならず、仕切壁は高価なものであり、簡易に取り替えができないものである。
【０００７】
更に、通例、仕切壁などは予め工場等において規格サイズで製造するため、装置全体の取るスペ−スが確定され、設置場所の広さに合わせた装置の提供はコストの面から非常に難しい。
【０００８】
本発明の目的は、構造を簡略化、軽量化して、誰でも組み立て、解体や修繕作業を容易に行え、また持ち運びが容易で、コストの低減化を実現でき、部材の取り替えを安価に容易に実施でき、装置本体の大きさを利用施設の設置環境に自在に適合可能なリハビリテーション装置を提供することにある。
【課題を解決するための手段】
【０００９】
上述した従来技術の課題を解決するための手段として、請求項１に記載した発明に係るリハビリテーション装置は、
上下方向の高さ調節が可能に生活用設備を備えた生活用設備部と、同生活設備部から張り出すスライドガイド部と、
前記スライドガイド部と直交し、同スライドガイド部に沿う方向に、同スライドガイド部に対して相対的に移動可能な摺動手段を具備した移動パネル部とから成ることを特徴とする。
【００１０】
請求項２記載の発明は、請求項１に記載したリハビリテーション装置において、  
スライドガイド部は、３本のスライドガイドパイプから成り、その配置が側面方向に見て三角形の各頂点に位置する配置とされており、同スライドガイドパイプに移動パネル部の摺動手段が摺動可能に連結されていることを特徴とする。
【００１１】
請求項３記載の発明は、請求項１又は２に記載したリハビリテーション装置において、
移動パネル部は、パイプ材で枠体を形成され、同枠体へ取り外し可能にパネル材が取り付けられていることを特徴とする。
【００１２】
請求項４記載の発明は、請求項１〜３のいずれか一に記載したリハビリテーション装置において、
移動パネル部のパネル材の生活用設備部に臨む側面に、その面に沿って上下、左右方向の移動及び斜め位置を設定可能な手摺りが設けられていることを特徴とする。
【００１３】
請求項５記載の発明は、請求項１〜４のいずれか一に記載したリハビリテーション装置において、
リハビリテーション装置の骨組みは、パイプ材と継手を組み合わせて形成されていることを特徴とする。
【発明の効果】
【００１４】
請求項１及び５に記載した発明に係るリハビリテーション装置１は、生活設備部２からスライドガイド部３が張り出し、同スライドガイド部３と直交する方向又は沿う方向に、相対的に移動可能とする移動パネル部４を設けた構成として、従来の大型、大重量で取付構造が複雑な仕切壁を排除することができた。また、前記装置１の骨組みを全てパイプ材で組み立てる構成としたので、構造そのものを簡略化及び軽量化でき、誰でも組み立て、解体、修繕作業を容易に行える。そして、持ち運びや移動の負担も低減できる。のみならず、安価な部材を使用するのでコストを飛躍的に低減できる。
【００１５】
また、骨組みがパイプ材を継手で連結する構成であるため、装置１の大きさを利用施設の設置環境に自在に適合させて提供できるので汎用性が高い。のみならず、設置した後も、パイプ材を切り落としたり、逆に継手等で延長させて大きさを微調整することが容易に可能である。
【００１６】
請求項２に記載した発明は、スライドガイド部３が３本のスライドガイドパイプ３０、３１、３０から成り、その配置を側面方向に見て三角形の各頂部に位置する配置としたので、スライドガイド部３を剛体構造として、強度と捻れ、撓み等の変形を防止する。
【００１７】
請求項３に記載した発明は、移動パネル部４は、パイプ材で形成した枠体４０へ取り外し可能に手摺り７、８を設置したパネル材６を取り付ける構成としたので、手摺り７、８の故障やパネル材６の壁面の汚れが生じたときは、取り外して修繕やクリーニング等を容易に行うことができ、あるいは新しい手摺りを備えたパネル材と取り替えることも容易に可能である。
【００１８】
請求項４に記載した発明は、移動パネル部４の内側面に、上下、左右方向の移動及び斜め位置を設定可能な手摺り７、８を設けたので、訓練者毎に障害の程度に適合した良好な手摺りり位置を実現して、安全且つ前進的なリハビリの実現に寄与する。
【発明を実施するための最良の形態】
【００１９】
本発明のリハビリテーション装置１は、上下方向の高さ調節が可能に生活用設備２０を備えた生活用設備部２と、同生活設備部２の左右方向へ張り出すスライドガイド部３と、前記スライドガイド部３と直交し、同スライドガイド部３に沿う方向に、同スライドガイド部３に対して相対的に移動可能な摺動手段５を具備した移動パネル部４とから成る。
【実施例１】
【００２０】
以下、本発明に係るリハビリテーション装置１の実施例を、図面に基づいて説明する。
ここでは、例えば生活用設備２０をトイレユニットとする場合を例にとり説明する。
図１は、本実施例におけるリハビリテーション装置１の全体構成を示した斜視図である。リハビリテーション装置１は、図に示す通り、上下方向の高さ調節が可能に生活用設備２０が備えられた生活用設備部２と、同生活用設備部２の左右方向へ張り出すスライドガイド部３と、前記スライドガイド部３と直交し、同スライドガイド部３に沿う方向に、同スライドガイド部３に対して相対的に移動可能な摺動手段５を具備した移動パネル部４とから構成される。因みに、後述するリハビリテーション装置１の骨組みは、全てパイプ材と継手を組み合わせた簡易なものであり、使用するパイプ材は径３２ｍｍ又は特に強度が必要な箇所では４２ｍｍの樹脂被覆鋼管としている。
【００２１】
前記トイレユニット２０は、訓練者が座る便座部分と便座部分から垂設される背面部とから成る構成とされ、訓練に必要な構成のみで、給水および排水の配管等は備えておらず、実際の便器と異なるものとされている。
【００２２】
上記生活用設備部２は、図１又は図２に示すように、前記トイレユニット（生活用設備とも云う）２０の直下位置に、同生活用設備部２を上下方向の高さを移動可能なリフター等の昇降ユニット２１を配置している。前記昇降ユニット２１はその上面に固定板２１ａが取り付けられており、同固定板２１ａの所定箇所に前記生活用設備２０を載置しネジ止め等で固定し取り付ける。なお、前記固定板２１ａは、図１、図３に示すようにＹ方向にスライド可能な長孔２１ｂによりリフター２１と接合されている。したがって、生活用設備２０の位置を訓練者の要望に合わせてＹ方向に微調整できる。
【００２３】
また、生活用設備部２は、前記昇降ユニット２１を固定・支持する矩形状の支持枠２２を備えており、前記矩形状の支持枠２２の所定箇所（図示の場合トイレユニットの後側）から鉛直方向に少なくとも４本の支柱２４…が立設されそれぞれ継手等で連結されている（図示省略）。
前記支持枠２２は四辺を形成する枠材２２ａを上下に二列配置し、上記二列の枠材２２ａの上下を繋ぐべくその四隅に縦材２２ｂを継手２２ｃで連結して成り、前記縦材２２ｂの前側の２本の下端にアジャスター２３を取り付け、それを延ばしてフロアー面に接地して固定し水平設置を可能とする。移動する場合は、前記アジャスター２３を縮めて床から離して移動可能状態とする。また、前記縦材２２ｂの後側の２本の下端にストッパー付きのキャスター４４を備えている（図２参照）。
【００２４】
上記スライドガイド部３は、生活用設備部２の左右方向へ張り出す３本のスライドガイドパイプから成る。つまり、上記支持枠２２から立設された４本の支柱２４の上端部で且つＸ方向の辺に沿って配置される二本の下位スライドガイドパイプ３０と、Ｘ方向に配置される一本の頂部スライドガイドパイプ３１である。その配置は、側面方向に見て三角形の各頂点部に位置する。
【００２５】
次に、上記スライドガイド部３と生活用設備２との連結について説明する。先ず、下位スライドガイドパイプ３０は、同パイプ３０、３０と、生活用設備部２の支柱２４と、Ｙ方向の二本の支柱２４、２４の上端を繋ぐ繋ぎ材２４ａとを継手３３によりそれぞれＸＹＺ方向に連結する。上記連結を四本の支柱２４…全てと行って同パイプ３０、３０を生活用設備部２の左右方向に張り出させる。前記頂部スライドガイドパイプ３１は、前記繋ぎ材２４ａの中間位置にＸ方向に向かって配置され、同繋ぎ材２４ａと直交して連結可能な継手３４、３４の内周面へ挿入して生活用設備部２と連結する。
【００２６】
次に、同スライドガイド部３に直交する方向又は沿う方向に相対的に移動する移動パネル部４について説明する。
移動パネル部４は、図４に示すように、横パイプ材４１、縦パイプ材４２を継手４３と後述する摺動手段５と連結可能な三ツ股継手９１とで連結して枠体４０を形成し、同枠体４０へ取り外し可能な止め具材６０でパネル材６を取り付けている（請求項３記載の発明）。また、前記縦パイプ材４２の下端には移動及び位置固定が可能なストッパー機能を有するキャスター４４が取り付けられている。前記枠体４０は縦パイプ４２を３本使用して大枠Ｌ、小枠Ｓを形成し、大枠Ｌにパネル材６を取り付けている。因みに小枠Ｓの横幅は前記下位スライドガイドパイプ３０、３０間の幅と略同様に形成する。
【００２７】
前記パネル材６の生活用設備部２に臨む側面には、その面に沿って左右方向の移動可能で、斜め位置を設定可能とされており、更に斜め状態を保持したまま左右方向の移動が可能な手摺り７と、上下方向の移動可能で、斜め位置を設定可能とされており、更に斜め状態を保持したまま上下方向の移動が可能な手摺り８と（図１参照）、がそれぞれ設けられている（請求項４記載の発明）。以下、図１、図２、図５に基づいて説明する。
前記手摺り７は、パネル材６の内側面の上下位置に水平方向に溝部を向けて取り付けたレール材７０、７０と、前記レール材７０、７０の溝部に嵌め合わされ、その溝部に沿って水平方向に摺動する凸型の手摺りベース材７１、７１と、同手摺りベース材７１、７１に取り付けられたブラケット７２、７２と、前記ブラケット７２、７２に固定された手摺り棒７３とで成る。前記手摺りベース材７１にはパネル材６を貫通するハンドル付きネジ材７１ａが取り付けられている。また、前記ネジ材７１ａの貫通及び水平方向の移動を許容するべくパネル材６には前記レール材７０に沿い、且つ略同長のスリット６ａが設けらている。したがって、左右の手摺りベース材７１、７１が所定の高さ位置に到達すると前記ネジ材７１ａを締め込みナット７１ｂでパネル材６を挟み込んで手摺りり位置を固定する（図５参照）。
【００２８】
前記手摺り棒７３は、水平方向の移動は勿論、左右の手摺りベース材７１、７１のいずれか一方を異なる左右位置に固定することで鉛直方向に対して斜め位置に配置することができる。したがって、訓練者に最適な高さと角度の手摺りを設定できる。
【００２９】
また手摺り８も同様に、パネル材６の内側面の左右位置に鉛直方向に溝部を向けて取り付けたレール材８０、８０と、前記レール材８０、８０の溝部に嵌め合わされ、その溝部に沿って上下方向に摺動する凸型の手摺りベース材８１と、同手摺りベース材８１に取り付けられたブラケット８２、８２と、前記ブラケット８２、８２に横架され固定される手摺り棒８３とで成る。
【００３０】
前記手摺りベース材８１にもネジ材８１ａが取り付けられ、同ネジ材８１ａの貫通及び鉛直方向の移動を許容するべくパネル材６には前記レール材８０に沿ってスリット６ｂが設けられている。上記手摺り棒８３は手摺り７と同様に鉛直方向の移動は勿論、水平方向に対して斜め位置に手摺り棒８３を設定できる。
【００３１】
上記のように構成された移動パネル部４は、上記スライドガイドパイプ部３の所定箇所と連結される摺動手段５により、同スライドガイドパイプ部３に沿ってその左右方向（図２の矢印方向）に移動可能に構成されている。次にその点を説明する。
【００３２】
前記摺動手段５は、図１、図６（Ａ、Ｂ）、図７に示すように、摺動本体部５０と、同摺動本体部５０と一体形成された摺動管５１、５２とから構成される。
移動パネル部４の小枠Ｓを形成する上位の横パイプ４１は、その両端からＸ方向に伸びるパイプ９ａ、９ａと、同横パイプ４１を支持する二本縦パイプ４２、４２とを三ツ股継手９１により連結され、また、同パイプ９ａ、９ａ間をＹ方向に繋ぐパイプ９ｂがＬ型継手９０により連結されて枠９が形成される。
前記枠９内へ前記摺動本体部５０を配置し、同本体部５０の前後面に予め取り付けた継手５１ａ、５１ａで同横パイプ４１及びパイプ９ｂへ連結して取り付て、移動パネル部４へ摺動手段５を連結する。前記枠９により摺動本体部５０を囲むことで、移動パネル部４の倒れ方向にも剛性を確保できる。また、摺動本体部５０は、前記枠９内に収めるため、パイプ９ａの外形を逃がすべく上端面を幅広に下端面を幅狭な略台形形状に形成している。
【００３３】
前記摺動管５１は図６Ａ、図６Ｂ及び図７に示すように、摺動本体部５０の上面両端部で下位スライドガイドパイプ３０と高さ位置が一致するように取り付けられている。また、摺動管５２は摺動本体部５０の上面の所定箇所から立設されたコ字形状の支持材５２ａとその先端部へ取り付けた固定ネジ５２ｂとによりその高さを頂部スライドガイドパイプ３１の高さ位置と一致させ且つ頂部スライドパイプ３１を締め付ける構成として取り付けられている。つまり、摺動管５２は割り管となっており、その割部を前記固定ネジ５２ｂを締め込むことにより、同摺動管５２の径が縮み同パイプ３１を締め付けて固定する構成とされている。
【００３４】
前記摺動管５１、５１は下位スライドガイドパイプ３０、３０の外周に沿って摺動可能に、同スライドガイドパイプ３０よりも太い径とされている。摺動管５２の径も頂部スライドガイドパイプ３１よりも太い径とされている。
【００３５】
上記のようにスライドガイド部３と連結された摺動手段５により移動パネル部４、４を、同スライドガイド部３の左右方向の訓練者に合わせた所定位置へそれぞれ移動したのち、摺動手段５の前記支持材５２ａに設置された固定ネジ５２ｂを締め込んで摺動を止め、移動パネル部４の縦パイプ４２の下端に設けたキャスター４４のストッパーを掛けて移動パネル部４の位置を設定及び固定することができる。
なお、スライドガイドパイプ３０等へカーテンを取り付けて外部と仕切る構成としても良い。
【００３６】
本実施例では生活用設備２０はトイレユニットとして説明したが、勿論この限りではなく図７に示すように洗面台ダミー１０を昇降ユニット２１の上へ載置し固定して取り替えることが可能である。また、本実施例では摺動手段５がスライドガイドパイプ３０及び３１の外周に沿って摺動する例を示したが、スライドガイドパイプ３０、３１の内周を摺動する構成としても良い。
【００３７】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために付言する。
【図面の簡単な説明】
【００３８】
【図１】本発明に係るリハビリテーション装置の全体構成を示す斜視図である。
【図２】本発明に係るリハビリテーション装置の全体構成を示す正面図である。
【図３】本発明に係るリハビリテーション装置の全体構成を示す平面図である。
【図４】移動パネル部の概要を示した図である。
【図５】パネル材に手摺りを取り付ける構成の一例を示した一部拡大断面図である。
【図６】Ａは摺動手段をスライドガイド部に連結させた一例を内側から示した一部拡大斜視図である。Ｂは外側から示した一部拡大斜視図である。
【図７】図６の拡大側面図である。
【図８】洗面台ダミーの一例を示した平面図である。
【符号の説明】
【００３９】
１        リハビリテーション装置
２        生活用設備部
３        スライドガイド部
４        移動パネル部
５        摺動手段
６        パネル材
７        手摺り
８        手摺り
【図１】
2006345987.tif 000003
【図２】
2006345987.tif 000004
【図３】
2006345987.tif 000005
【図４】
2006345987.tif 000006
【図５】
2006345987.tif 000007
【図６】
2006345987.tif 000008
【図７】
2006345987.tif 000009
【図８】
2006345987.tif 000010